(57)【要約】【課題】  お墓を持てない等の問題を解決するために墓、仏壇、位牌の機能と映像等の想い出を一体のものとして納めることができる箱を提供する。【解決手段】  前部に扉５と上部に開閉できる蓋６があるメモリアルボックスの内部に、外周が透明で内部を縦に仕切って複数の収納空間１３と故人の名前等を表示できる表示板１２がある透明筒状体１０を有し、その筒状体の内部にある複数の収納空間１３に故人の記念碑１５等を収納し、その筒状体を回転させることにより正面に向いた収納空間に収納された故人の記念碑１５や映像記録等により、複数の故人を一つのメモリアルボックスでお祀りし偲ぶことができる。【選択図】図１
2019088736.tif 000002
【特許請求の範囲】
【請求項１】
少なくとも記念物収納カプセルが収納可能なメモリアルボックスであって該メモリアルボックスは、前側に開放可能な前扉が設けられており、前記メモリアルボックスの内部には回転軸によって回動可能でかつ、内部に記念物収納カプセルが収納可能な回転体が設けられていることを特徴とするメモリアルボックス。
【請求項２】
前記回転体は、その内部が仕切り板によって複数に仕切られていることを特徴とする請求項１に記載のメモリアルボックス。
【請求項３】
前記回転体は外側の部分と内側の部分があり、内側の部分の外向きの壁に差し込み部が設けられて外側は透明な請求項１に記載のメモリアルボックス。
【発明の詳細な説明】
【技術分野】
【０００１】  この発明は、墓、仏壇、位牌の機能、映像等の想い出を一つにするものです。
【背景技術】
【０００２】  従来、お墓、仏壇、位牌と故人の想い出のアルバム等は別々に設置又は保管されていた。
故人の記録等を内蔵する記念碑や位牌、それらを保管する簡易墓等が考案されていますが、お墓、仏壇、位牌の機能と記念の物等を一つにして複数の故人分お祀りできるものではありませんでした。
【発明の概要】
【発明が解決しようとする課題】
【０００３】  先祖の供養を粗末にしたくないが、お墓が持てない、持っていても将来維持ができない等の問題を解決し、故人の記念物と一般に普及しているＵＳＢメモリ等に記録した想い出を一つの所に複数の故人分お祀りし、お参りが家族の負担とならず先祖を想う気持ちを繋ぐもの。
本発明は、以上のような心の安寧に資するためのものです。
【課題を解決するための手段】
【０００４】  前面に前扉、上部に開閉できる蓋を備えたメモリアルボックスであり、その内部に、外周が透明な回転軸を有する回転体を設け、その回転体の内側を縦に十文字に仕切り収納空間を作る。
各収納空間には外側と内側を仕切る表示板が設けられ、その表示板の外側には収納空間に納められている記念物収納カブセルに入る故人の名前等を表示する事ができる。
拝む対象の故人の記念物収納カブセルが納められている収納空間部分の表示板を正面に向け、収納された故人の記念物を拝むとともに、同じ収納空間に納められた故人の映像等を記録したＵＳＢメモリを携帯端末等に接続し想い出を再生しながら故人を偲ぶことができる。
【発明の効果】
【０００５】  お墓を持つのに比べて安価であり、お墓を持てない可能性のある場合でもお墓を持つのと同様の心の平穏を得ることができ、お墓が遠方となることもなく、いつでもお参りができるようになります。
収納空間に、故人の記念物を入れた記念物収納カブセルや情報を記録したＵＳＢメモリ等をそれぞれ収納する事によりお墓、仏壇、位牌等の機能と想い出を複数の故人分お祀りすることができます。
【図面の簡単な説明】
【０００６】
【図１】本発明の姿図。
【図２】本発明の天板を取り外し上から見た平面図。
【図３】本発明の回転体と記念物収納カプセルの姿図。
【図４】本発明の表示板の姿図。
【図５】本発明の表示板を上から見た平面図。
【図６】本発明の部品展開図。
【図７】本発明の他の実施例の円筒形メモリアルボックスの姿図。
【図８】本発明の他の実施例の多角形メモリアルボックスの姿図。
【図９】本発明の他の実施例の動物形メモリアルボックスの姿図。
【発明を実施するための形態】
本発明の実施例について図面に基づいて説明する。
【０００７】  図１は、本発明に係るメモリアルボックスの扉を開けた状態の姿図であり、天板１と、側板２と、底板４により構成されたメモリアルボックスの内部に透明筒状体１０と回転軸７を有する回転体を収納する。回転体の外側は透明筒状体１０であり正面から見える回転体の内部に記された故人の名前等を正面から見ることがでる。メモリアルボックスの正面部分の両側には回転体の正面部分以外を隠す目隠し板８を設置し回転体の正面以外を隠す構造とし、この目隠し板には仏画等を施すことができる。メモリアルボックスは、普段は側板２に取り付けられた扉５を開閉可能にするヒンジ９により閉じておくことでインテリアとして飾っておくことができる。
【０００８】  図１の天板１には開口部とその開口部を塞ぐ蓋６が設けられ回転体内部の収納空間１３へ記念物収納カプセル１５等を出し入れすることができる。この開口部は、回転体内部の仕切り板１１で仕切られた複数の区画のうちの一つに設けられている透明筒状体１０を、区画部分毎に独立させ、その区画部分の表示板１２とともに前方に取り外して開口部とすることもできるものである。
【０００９】  図２は、図１のメモリアルボックスの天板１を取り外し上から見た平面図である。側板２と背板３と扉５の内部に回転体があり、その回転体を構成する透明筒状体１０の内部を縦に仕切る仕切り板１１で複数の空間を作り、その仕切り板１１と透明筒状体１０の接点を結ぶように取り付けられる表示板１１が、収納空間１３と透明筒状体１０を透して表示板に表された故人の氏名等を見ることのできる二つの空間を形成する。
【００１０】  回転体は、回転軸７により回動し、故人の氏名等が表された表示板１２が正面と平行の状体で静止させると左右の目隠し板８により正面以外の表示板１２や内部の隙間が外側から見えなくなる。
【００１１】  図３はメモリアルボックスに収納される回転体の姿図である。回転体の底部分には回転体の底板１４があり、その上に透明筒状体１０が取り付けられ仕切り板１１で仕切られた収納部分１３の外側には表示板１２が設けられ収納部分１３は外から見えない構造となっている。記念物収納カプセル１５には上部に蓋１６が設けられ、内部の空間に故人の記念となる少量の品を納めて密封し、その記念物収納カプセル１５は天板１に設けられた開口部の蓋６を開けることにより収納部分１３へ納めることができる。
【００１２】  図４は、透明回転体の内側の収納部分１３と外側を区切る表示板１２の姿図であり、図５は上記表示板１２の平面図である。表示板１２の両側は仕切り板１１の角度に合わせてカットされており、表側に故人の氏名等を表す印刷物等を差し込むことができるようにＬ字形の差し込みガイド１７が両側に設けられているものである。
【００１３】  図６は、メモリアルボックスの部品展開図である。天板１の中央に設けられた天板の回転軸支持部１８と底板４の中央に設けられた底板の回転軸支持部１９に回転体の回転軸７が取り付けられて回転体を回転させることができる。また、天板１には開口部が有りそれには蓋６が取り付けられて塞がれているが、回転体の表示板１２を正面に向けて蓋６を開閉することにより収納空間１３に記念物収納カプセル１５等を出し入れする事ができる。
【００１４】  以上、図面に基づいて本発明を実施するための形態について説明した。しかし、本発明はこれらの具体例に限定されるものではなく、図７に示すように円柱型メモリアルボックス２０が台座２１の上に設けられ、扉２２の内側に回転体２３が収納されるものや、図８は多角形型メモリアルボックス２４が台座２５に設けられ蓋２５の内側に球体の回転体２７が回転軸２８により設置されているもの。図９は動物形メモリアルボックス２９の蓋３０の内部に三角形の回転体３１が納められ回転軸３２により取り付けられているものである。このように本発明のメモリアルボックスには様々な形態があり、それに伴い内蔵する回転体も円柱、多角形、球体等を組み合わせることができるとともに、その収納空間の形状や数も適宜変更することができ、これらを組み合わせたものも本発明の特徴を含む限り本発明の範囲に包含される。
【符号の説明】
【００１５】  １  天板
２  側板
３  背板
４  底板
５  扉
６  蓋
７  回転体の回転軸
８  目隠し板
９  ヒンジ
１０  透明筒状体
１１  仕切り板
１２  表示板
１３  回転体内部の収納空間
１４  回転体の底板
１５  記念物収納カプセル
１６  記念物収納カプセルの蓋
１７  差し込みガイド
１８  天板の回転軸支持部
１９  底板の回転軸支持部
２０  円筒形メモリアルボックスの姿図。
２１  円筒形メモリアルボックスの台座
２２  円筒形メモリアルボックスの扉
２３  円筒形メモリアルボックス内の回転体
２４  多角形メモリアルボックスの姿図。
２５  多角形メモリアルボックスの台座
２６  多角形メモリアルボックスの扉
２７  多角形メモリアルボックス内の球状の回転体
２８  多角形メモリアルボックス内の球状の回転体の回転軸
２９  動物形メモリアルボックスの姿図
３０  動物方メモリアルボックスの扉
３１  動物形メモリアルボックス内の三角形の回転体
３２  動物形メモリアルボックス内の三角形の回転体の回転軸
【図１】
2019088736.tif 000003
【図２】
2019088736.tif 000004
【図３】
2019088736.tif 000005
【図４】
2019088736.tif 000006
【図５】
2019088736.tif 000007
【図６】
2019088736.tif 000008
【図７】
2019088736.tif 000009
【図８】
2019088736.tif 000010
【図９】
2019088736.tif 000011